(57)【要約】【課題】本発明の実施形態は盗難の発生を監視し、盗難発生時には警報や遠隔発報を行うことができるエレベータの制御装置を提供することを目的とする。【解決手段】本発明の実施形態に係るエレベータの制御装置は、エレベータ制御装置１と周辺機器２との接続状態を通電の有無によって検出する接続検出手段３を備え、接続検出手段３によってエレベータ制御装置１と周辺機器２とが接続されていない状態が所定時間継続されていることを検出した場合、外部にその旨のアナウンスを行う異常発報機能を有することを特徴とする。【選択図】図１
2013155023.tif 000002
【特許請求の範囲】
【請求項１】
エレベータ制御装置と周辺機器との接続状態を通電の有無によって検出する接続検出手段を備え、
前記接続検出手段によって前記エレベータ制御装置と周辺機器とが接続されていない状態が所定時間継続されていることを検出した場合、外部にその旨のアナウンスを行う異常発報機能を有することを特徴とするエレベータの制御装置。
【請求項２】
前記エレベータの運転モードを点検モードに切り替える点検スイッチが操作され、前記エレベータの運転モードが点検モードである場合、前記異常発報機能を無効にすることを特徴とする請求項１に記載のエレベータの制御装置。
【請求項３】
前記エレベータを外部から制御する点検用端末が前記エレベータ制御装置に接続され、前記点検用端末から異常発報機能無効指令が入力された場合、前記異常発報機能を無効にすることを特徴とする請求項１に記載のエレベータの制御装置。
【請求項４】
前記点検スイッチの操作により前記異常発報機能が無効となってから所定時間経過した場合、前記異常発報機能を有効に切り替えることを特徴とする請求項２に記載のエレベータの制御装置。
【請求項５】
前記点検用端末からの異常発報機能無効指令が入力されてから所定時間経過した場合、前記異常発報機能を有効に切り替えることを特徴とする請求項３に記載のエレベータの制御装置。
【発明の詳細な説明】
【技術分野】
【０００１】
本発明の実施形態は、周辺機器の盗難防止機能を有するエレベータの制御装置に関する。
【背景技術】
【０００２】
エレベータ制御装置の周辺機器には表示装置や照明装置、インターホンなどの電子機器が取り付けられ使用されている。また、これらの機器は近年高機能化が進んでおり、従来の周辺機器に比較して盗難される可能性が高い。
【先行技術文献】
【特許文献】
【０００３】
【特許文献１】特開２００４−１９６４９９号公報
【発明の概要】
【発明が解決しようとする課題】
【０００４】
そこで、本発明の実施形態は、盗難の発生を監視し、盗難発生時には警報や遠隔発報を行うことができるエレベータの制御装置の提供を目的とする。
【課題を解決するための手段】
【０００５】
上記目的を達成するために、本発明の実施形態に係るエレベータの制御装置は、エレベータ制御装置と周辺機器との接続状態を通電の有無によって検出する接続検出手段を備え、前記接続検出手段によって前記エレベータ制御装置と周辺機器とが接続されていない状態が所定時間継続されていることを検出した場合、外部にその旨のアナウンスを行う異常発報機能を有することを特徴とする。
【図面の簡単な説明】
【０００６】
【図１】本発明の実施形態に係るエレベータの制御装置の構成を示すブロック図である。
【図２】本発明の実施形態に係るエレベータ制御装置の動作を示すフローチャートである。
【発明を実施するための形態】
【０００７】
以下、本発明の実施形態について図面を参照して説明する。
【０００８】
まず、図１を用いて本発明の実施形態に係るエレベータ制御装置の構成について説明する。エレベータの運行を制御するエレベータ制御装置１には周辺機器２が接続されている。周辺機器２は、例えば乗場やかご内に設置される表示装置、かご内照明装置、バッテリ、呼び登録ボタンなどが挙げられる。また、エレベータ制御装置１には、エレベータ制御装置１と周辺機器２との接続状態を検出する接続検出回路（接続検出手段）３が備えられている。接続状態はエレベータ制御装置１内のマイコンで監視する。また、エレベータの運転状況に応じて外部に警報を発報する警報装置４がエレベータ制御装置１に接続されている。
【０００９】
点検用端末５はエレベータ制御装置１を保守員等が点検操作する場合に、外部からエレベータ制御装置１に接続するものであり、この点検用端末５を操作することにより保守員等はエレベータの運転を制御することができる。
【００１０】
エレベータの運転を点検運転に切り替えるための点検スイッチ６は昇降路内またはかご上などに設置され、点検スイッチ６を操作することによりエレベータ制御装置１に対して点検作業開始の指示の信号を入力する。点検スイッチ６が操作され、エレベータ制御装置１に点検作業開始の指示の信号が入力されると、エレベータ制御装置１内のマイコンが点検作業開始の指示を検出し、エレベータの運転モードを点検時の固有動作を行う点検モードに切り替える。
【００１１】
また、エレベータ制御装置１は電話回線などの公衆回線を介して監視センタ７に接続されている。監視センタ７ではエレベータ制御装置１から出力されるデータによってエレベータの運転状況を監視している。
【００１２】
次に図２のフローチャートを参照して本実施形態に係るエレベータ制御装置の盗難防止機能の動作について説明する。
【００１３】
まず、接続検出回路３によってエレベータ制御装置１と周辺機器２との接続の有無を検出する（Ｓ１）。接続検出回路３では、エレベータ制御装置１と周辺機器２との間の通電を監視することで接続関係の有無を検出している。そして、エレベータ制御装置１内に備えられるマイコンに検出結果を出力し、エレベータ制御装置１と周辺機器とが接続状態にあるか否かの監視を行う（Ｓ２）。
【００１４】
所定時間これらの接続関係が検出されていない場合（Ｓ２のＮＯ）、接続検出回路３はその検出結果をエレベータ制御装置１に出力する（Ｓ３）。その後、エレベータ制御装置１は警報装置４に対して警報発報させるための信号を出力し（Ｓ４）、信号を受信した警報装置４はかご内や乗場などに対してブザーを鳴動させたり、盗難が発生した旨のアナウンスを流したりすることで、盗難の発生を知らせる（Ｓ５）。
【００１５】
以上のようにして、エレベータ制御装置１と周辺機器２の接続状態を監視し、盗難の発生を検出する。
【００１６】
またそのほか、同様に所定時間接続検出回路３にてエレベータ制御装置１と周辺機器２との接続関係が検出されなかった場合、エレベータ制御装置１は監視センタ７に対して盗難発生の異常発報を行う。
【００１７】
一方、保守員等がエレベータの定期点検や保守作業を行う場合、意図的に周辺機器２をエレベータ制御装置１から外す場合がある。このとき、前述の警報装置４が動作することを抑制するための発報抑制機能が必要となる。そこで、保守員等がエレベータの点検作業を行う場合には必ず点検スイッチ６を操作し、エレベータの運転モードを点検モードとするため、点検モードであることをエレベータ制御装置１は警報装置４及び監視センタ７への盗難発生信号の出力を禁止する。
【００１８】
同様に、保守員等は点検用端末５を使用してエレベータの調整作業を行うことから、点検用端末５から盗難防止機能無効指令を入力すると所定時間に限りエレベータ制御装置１と周辺機器２との接続が検出されない場合であっても、エレベータ制御装置１は警報装置４及び監視センタ７への盗難発生信号の出力を禁止する。
【００１９】
ここで所定時間に限って警報装置４及び監視センタ７への盗難発生信号の出力を禁止するとしたのは、点検スイッチ６の使用の場合と異なり、点検用端末５からの盗難防止機能無効指令の入力の場合、保守員等が指令の取り消しをするのを忘れた場合であっても所定時間経過後に盗難防止機能を復帰させることができるようにするためである。
【００２０】
また、同様にして監視センタ７からもエレベータ制御装置１に対して盗難防止機能無効指令を行うことで、所定時間に限りエレベータ制御装置１と周辺機器２との接続が検出されない場合であっても、エレベータ制御装置１が警報装置４及び監視センタ７への盗難発生信号の出力を禁止させることとしてもよい。
【００２１】
以上のように、本実施形態に係るエレベータ制御装置は状況に応じて盗難防止機能を発揮させることができる。
【符号の説明】
【００２２】
１…エレベータ制御装置
２…周辺機器
３…接続検出回路
４…警報装置
５…点検用端末
６…点検スイッチ
７…監視センタ
【図１】
2013155023.tif 000003
【図２】
2013155023.tif 000004